(57)【特許請求の範囲】
【請求項１】
光源と、
光源からの光を被検眼の内部に照射すると共にその反射光を導く測定光学系と、
光源からの光を案内して参照光とする参照光学系と、
光源からの光を案内して較正光とする較正光学系と、
測定光学系により導かれた反射光と参照光学系により案内された参照光とが合成された測定用干渉光と、較正光学系により案内された較正光と参照光学系により案内された参照光とが合成された較正用干渉光とを受光する受光素子と、
受光素子で受光された測定用干渉光と較正用干渉光をフーリエ解析することで、被検眼内部の測定対象部位の位置を特定する演算装置と、を有している、眼科装置。
【請求項２】
演算装置は、較正用干渉光の測定結果を用いて、測定用干渉光から特定される被検眼内部の測定対象部位の位置を補正する、請求項１に記載の眼科装置。
【請求項３】
較正光学系は、ゼロ点からの光路長が第１の光路長となる第１光路部と、ゼロ点からの光路長が第２の光路長となる第２光路部を有しており、
受光素子は、較正光学系の第１光路部により案内された光と参照光学系により導かれた反射光とが合成された第１較正用干渉光と、較正光学系の第２光路部により案内された光と参照光学系により導かれた反射光とが合成された第２較正用干渉光とを受光し、
演算装置は、第１較正用干渉光の測定結果と第２較正用干渉光の測定結果を用いて、測定用干渉光から特定される被検眼内部の測定対象部位の位置を補正する、請求項１に記載の眼科装置。
【請求項４】
較正光学系は、光源からの光を反射して較正光とする反射面を有しており、その反射面は光軸方向に移動可能に構成されており、
較正光学系は、ゼロ点からの光路長が第１の光路長となる位置に反射面が位置決めされる第１状態と、ゼロ点からの光路長が第２の光路長となる位置に反射面が位置決めされる第２状態とに切り替え可能となっており、
受光素子は、較正光学系が第１状態のときに案内された較正光と参照光学系により導かれた反射光とが合成された第１較正用干渉光と、較正光学系が第２状態のときに案内された較正光と参照光学系により導かれた反射光とが合成された第２較正用干渉光とを受光し、
演算装置は、第１較正用干渉光の測定結果と第２較正用干渉光の測定結果を用いて、測定用干渉光から特定される被検眼内部の測定対象部位の位置を補正する、請求項１に記載の眼科装置。
【請求項５】
演算装置は、さらに、測定用干渉光と較正用干渉光から特定される被検眼の角膜の位置と網膜の位置から、被検眼の眼軸長を算出する、請求項１〜４のいずれか一項に記載の眼科装置。
【発明の詳細な説明】
【技術分野】
【０００１】
本明細書に開示する技術は、被検眼を検査する眼科装置に関する。
【背景技術】
【０００２】
被検眼の内部（例えば、水晶体、網膜等）を検査するための眼科装置が開発されている。この種の眼科装置は、光源からの光を被検眼の内部に照射すると共にその反射光を導く測定光学系と、光源からの光を参照面に照射すると共にその反射光を導く参照光学系を備えている。そして、測定光学系により導かれた反射光と参照光学系により導かれた反射光とを合成した干渉光から、被検眼内部の測定対称部位（例えば、水晶体、網膜等）の位置を特定する。特許文献１には、この種の眼科装置の従来例が開示されている。
【先行技術文献】
【特許文献】
【０００３】
【特許文献１】特開２００７−３７９８４号公報
【発明の概要】
【発明が解決しようとする課題】
【０００４】
光干渉を利用して被検眼の内部を検査する方式としては、タイムドメイン方式とフーリエドメイン方式がある。タイムドメイン方式と比較してフーリエドメイン方式では、フーリエ解析を利用するため、光学系の構成を簡易にすることができるという利点を有する。しかしながら、フーリエドメイン方式の眼科装置では、干渉光から特定される被検眼内部の測定対象部位の位置が、時間の経過に伴って変化することが判明した。すなわち、光源の温度変化や経年変化によって、光源から被検眼に照射される光の特性が変化すると、受光素子で受光される干渉光の特性も変化する。その結果、受光した干渉光をフーリエ解析して得られる被検眼内部の測定対象部位の位置も変化する。
【０００５】
本明細書は、時間の経過に伴って干渉光の特性が変化しても、被検眼内部の測定対象部位の位置を正確に特定することができる眼科装置を開示する。
【課題を解決するための手段】
【０００６】
本明細書に開示する眼科装置は、光源と、光源からの光を被検眼の内部に照射すると共にその反射光を導く測定光学系と、光源からの光を案内して参照光とする参照光学系と、光源からの光を案内して較正光とする較正光学系と、測定光学系により導かれた反射光と参照光学系により案内された参照光とが合成された測定用干渉光と、較正光学系により案内された較正光と参照光学系により案内された参照光とが合成された較正用干渉光とを受光する受光素子と、受光素子で受光された測定用干渉光と較正用干渉光とをフーリエ解析することで、被検眼内部の測定対象部位の位置を特定する演算装置を有している。
【０００７】
この眼科装置は、測定光学系と参照光学系に加えて較正光学系を有している。このため、較正光学系により案内された較正光と参照光学系により導かれた反射光とが合成された較正用干渉光を用いて、測定用干渉光から特定される測定対象部位の位置を補正することができる。その結果、時間の経過に伴って測定用干渉光から特定される測定対象部位の位置が変化する場合でも、測定対象部位の位置を正確に特定することができる。
【図面の簡単な説明】
【０００８】
【図１】本実施例に係る眼科装置の光学系の概略構成図である。
【図２】本実施例に係る眼科装置の制御系のブロック図である。
【図３】ゼロ点と参照ミラーと被検眼との位置関係を説明するための図である。
【図４】測定光学系の光路長を所定の光路長範囲で走査したときに得られる干渉信号波形を処理する手順を説明するための図である。
【図５】本実施例に係る眼科装置の処理手順の一例を示すフローチャートである。
【図６】本実施例の変形例に係る眼科装置の光学系の構成を示す図。
【図７】本実施例の他の変形例に係る眼科装置の光学系の構成を示す図。
【発明を実施するための形態】
【０００９】
以下に説明する実施例の主要な特徴を列記しておく。なお、以下に記載する技術要素は、それぞれ独立した技術要素であって、単独であるいは各種の組合せによって技術的有用性を発揮するものであり、出願時請求項記載の組合せに限定されるものではない。
【００１０】
本明細書に開示する眼科装置では、較正光学系は、参照光学系の光路長と物体光学系の光路長とが同一となるゼロ点からの光路長が予め設定された長さとなるように設計されていてもよい。このような構成によると、ゼロ点に対して予め決められた位置にピークを有する信号を得ることができる。
【００１１】
本明細書に開示する眼科装置では、演算装置は、較正用干渉光の測定結果を用いて、測定用干渉光から特定される被検眼内部の測定対象部位の位置を補正してもよい。このような構成によると、測定用干渉光から特定される測定対象部位の位置を適切に補正することができる。例えば、時間の経過に伴って光源から照射される光の特性が変化する場合、受光素子で受光される較正用干渉光も変化する。一方、較正光学系の光路長は予め設定された値となっている。このため、較正用干渉光の測定結果に基づいて、測定用干渉光から特定される被検眼内部の測定対象部位の位置を適切に補正することができる。
【００１２】
本明細書に開示する眼科装置では、較正光学系は、ゼロ点からの光路長が第１の光路長となる第１光路部と、ゼロ点からの光路長が第２の光路長となる第２光路部を有していてもよい。受光素子は、較正光学系の第１光路部により案内された光と参照光学系により導かれた反射光とが合成された第１較正用干渉光と、較正光学系の第２光路部により案内された光と参照光学系により導かれた反射光とが合成された第２較正用干渉光とを受光してもよい。演算装置は、第１較正用干渉光の測定結果と第２較正用干渉光の測定結果を用いて、測定用干渉光から特定される被検眼内部の測定対象部位の位置を補正してもよい。このような構成によると、第１光路部の光路長と、第２光路部の光路長との差を用いて、被検眼内部の測定対象部位の位置を補正することができる。その結果、例えば、光学系の経年変化によって光学系の光路長が変化する場合でも、第１光路部の光路長と第２光路部の光路長が同様に変化するときは、両者の差をとることで、その変化を打ち消すことができる。このため、第１光路部と第２光路部の光路差を利用することで、被検眼内部の測定対象部位の位置を適切に特定することができ得る。
【００１３】
本明細書に開示する眼科装置では、演算装置は、さらに、測定用干渉光と較正用干渉光から特定される被検眼の角膜の位置と網膜の位置から、被検眼の眼軸長を算出してもよい。このような構成によると、被検眼の眼軸長を正確に算出することができる。
【実施例１】
【００１４】
図１に示すように、本実施例の眼科装置は、被検眼１００を検査するための測定部１０を有している。測定部１０は、被検眼１００から反射される反射光と参照光とを干渉させる干渉光学系１４と、被検眼１００の前眼部を観察する観察光学系５０と、被検眼１００に対して測定部１０を所定の位置関係にアライメントするためのアライメント光学系（図示省略）を有している。アライメント光学系は、公知の眼科装置に用いられているものを用いることができるため、その詳細な説明は省略する。
【００１５】
干渉光学系１４は、光源１２と、光源１２からの光を被検眼１００の内部に照射すると共にその反射光を導く測定光学系（２４，７２，４８）と、光源１２からの光を参照面２２ａに照射すると共にその反射光を導く参照光学系（２４，２２）と、光源１２からの光を反射面（７４ａ，７４ｂ）に照射すると共にその反射光を導く較正光学系（２４，７２，７４）と、測定光学系により導かれた反射光と参照光学系により導かれた反射光とが合成された測定用干渉光と、較正光学系により導かれた反射光と参照光学系により導かれた反射光とが合成された較正用干渉光とを受光する受光素子２６によって構成されている。
【００１６】
光源１２は、波長掃引型の光源であり、出射される光の波長が所定の周期で変化するようになっている。すなわち、本実施例の眼科装置では、光源１２から出射される光を、その波長を変化（走査）させながら被検眼１００に照射する。そして、被検眼１００からの反射光と参照光との干渉光から得られる信号をフーリエ解析することで、被検眼１００の深さ方向の各部位から反射される光の強度分布を得る。被検眼１００の深さ方向の光強度分布が得られると、後述するように、被検眼１００の内部の各部位（すなわち、水晶体１０４や網膜１０６）の位置を特定することが可能となる。なお、光源１２から照射される光は、光源１２の温度や光源１２の経年変化によって変化する。このため、測定時間に応じて光源１２の温度が上昇すると、光源１２から照射される光の特性が変化する。また、眼科装置の経年変化によって、光源１２から照射される光の特性が変化する。その結果、干渉光から得られる信号をフーリエ解析した結果も変化することとなる。
【００１７】
測定光学系は、ビームスプリッタ２４と、ビームスプリッタ７２と、ホットミラー４８によって構成されている。光源１２から出射された光は、ビームスプリッタ２４、ビームスプリッタ７２及びホットミラー４８を介して被検眼１００に照射される。被検眼１００からの反射光は、ホットミラー４８、ビームスプリッタ７２及びビームスプリッタ２４を介して受光素子２６に導かれる。
【００１８】
参照光学系は、ビームスプリッタ２４と参照ミラー２２によって構成されている。光源１２から出射された光の一部は、ビームスプリッタ２４で反射され、参照ミラー２２の参照面２２ａに照射され、参照ミラー２２の参照面２２ａによって反射される。参照ミラー２２で反射された光は、ビームスプリッタ２４を介して受光素子２６に導かれる。参照ミラー２２とビームスプリッタ２４と受光素子２６は、干渉計２０内に配置され、その位置が固定されている。このため、本実施例の眼科装置では、参照光学系の参照光路長は一定で変化しない。
【００１９】
較正光学系は、ビームスプリッタ２４と、ビームスプリッタ７２と、光学部材７４によって構成されている。光源１２から出射された光は、ビームスプリッタ２４及びビームスプリッタ７２を介して光学部材７４に照射される。光学部材７４は、その一端に設けられた第１反射面７４ａと、その他端に設けられた第２反射面７４ｂを有している。したがって、光学部材７４に照射される光の一部は、第１反射面７４ａで反射され、その残りが光学部材７４内に入射する。光学部材７４内に入射した光の一部は、第２反射面７４ｂで反射され、残りは光学部材７４から外部に照射される。第１反射面７４ａで反射された光と第２反射面７４ｂで反射された光は、ビームスプリッタ７２及びビームスプリッタ２４を介して受光素子２６に導かれる。
【００２０】
本実施例の較正光学系は、ゼロ点からの光路長が第１の光路長となる第１光路部（光源１２→第１反射面７４ａ→受光素子２６）と、ゼロ点からの光路長が第２の光路長となる第２光路部（光源１２→第２反射面７４ｂ→受光素子２６）を有している。具体的には、ゼロ点を基準にして光学部材７４の位置が設定されており、ゼロ点から第１反射面７４ａまでの光路長、及び、ゼロ点から第２反射面７４ｂまでの光路長が、ゼロ点から被検眼１００の網膜までの距離よりも長くなるように設定されている。ここで、ゼロ点とは、参照光学系の光路長（参照光路長）と物体光学系の光路長（物体光路長）とが同一となる点を意味する（図３参照）。上述の説明から明らかなように、第１光路部と第２光路部の光路長の差は、光学部材７４の一端の第１反射面７４ａから他端の第２反射面７４ｂまでの長さによって決まる。すなわち、第１光路部と第２光路部の光路長の差は、光学部材７４と他の部材との位置関係に影響を受けず、光学部材７４によってのみ決定される。したがって、光学部材７４の形状精度を高めることで、第１光路部と第２光路部の光路長の差を精度良く管理することができる。
【００２１】
なお、光学部材７４としては、例えば、光学ガラスを用いることができる。光源１２からの光を光学ガラスに照射することで、光学ガラスの一端（入射面）を第１反射面として機能させ、光学ガラスの他端（出射面）を第２反射面として機能させることができる。光学部材７４の他の例としては、例えば、光学プラスチック等を用いることができる。
【００２２】
受光素子２６は、参照光学系により導かれた光と測定光学系により導かれた光とを合成した測定用干渉光と、参照光学系により導かれた光と較正光学系により導かれた光とを合成した較正用干渉光を検出する。上述の説明から明らかなように、較正用干渉光には、第１反射面７４ａで反射された光（第１光路部により導かれた光）と参照光学系により導かれた光を合成した第１較正用干渉光と、第２反射面７４ｂで反射された光（第２光路部により導かれた光）と参照光学系により導かれた光を合成した第２較正用干渉光が含まれる。したがって、受光素子２６は、測定用干渉光と第１較正用干渉光と第２較正用干渉光を検出する。受光素子２６としては、例えば、フォトダイオードを用いることができる。
【００２３】
観察光学系５０は、被検眼１００にホットミラー４８を介して観察光を照射すると共に、被検眼１００から反射される反射光（すなわち、照射された観察光の反射光）を撮影する。ここで、ホットミラー４８は、干渉光学系の光源１２からの光を反射する一方で、観察光学系の光源からの光を透過する。このため、本実施例の眼科装置では、干渉光学系による測定と、観察光学系５０による前眼部の観察を同時に行うことができる。なお、観察光学系５０には、公知の眼科装置に用いられているものを用いることができるため、その詳細な構成については説明を省略する。
【００２４】
なお、本実施例の眼科装置では、被検眼１００に対して測定部１０の位置を調整するための位置調整機構１６（図２に図示）と、その位置調整機構１６を駆動する第１駆動装置５４（図２に図示）を備えている。第１駆動装置５４を駆動することで、被検眼１００に対する測定部１０の位置が調整される。
【００２５】
次に、本実施例の眼科装置の制御系の構成を説明する。図２に示すように、眼科装置は演算装置６４によって制御される。演算装置６４は、ＣＰＵ，ＲＯＭ，ＲＡＭ等からなるマイクロコンピュータ（マイクロプロセッサ）と高速演算用ゲートアレイによって構成されている。演算装置６４には、光源１２と、第１駆動装置５４と、モニタ６２と、観察光学系５０が接続されている。演算装置６４は、光源１２のオン／オフを制御し、第１駆動装置５４を制御することで位置調整機構１６を駆動し、また、観察光学系５０を制御して観察光学系５０で撮像される前眼部像をモニタ６２に表示する。また、演算装置６４には、受光素子２６が接続され、受光素子２６で検出される干渉光（すなわち、測定用干渉光，第１較正用干渉光，第２較正用干渉光）の強度に応じた干渉信号が入力する。演算装置６４は、受光素子２６からの干渉信号をフーリエ変換することによって、被検眼１００の各部位（角膜１０２の前後面、水晶体１０４の前後面、網膜１０６の表面）及び光学部材７４の反射面７４ａ，７４ｂの位置を特定し、これらを用いて被検眼１００の眼軸長を算出する。なお、演算装置６４による被検眼１００の各測定部位の位置を特定する処理の詳細については後述する。
【００２６】
次に、本実施例の眼科装置を用いて眼軸長を測定する際の手順を説明する。図５に示すように、まず、検査者は図示しないジョイスティック等の操作部材を操作して、被検眼１００に対して測定部１０の位置合わせを行う（Ｓ１０）。すなわち、演算装置６４は、検査者の操作部材の操作に応じて、第１駆動装置５４により位置調整機構１６を駆動する。これによって、被検眼１００に対する測定部１０のｘｙ方向（縦横方向）の位置とｚ方向（進退動する方向）の位置が調整される。また、演算装置６４は、図示しない焦点調整機構及びゼロ点調整機構を調整することで、光源１２から被検眼１００に照射される光の焦点の位置が被検眼１００の所定の位置（例えば、角膜１０２の前面）となり、また、物体光路長と参照光路長が一致するゼロ点の位置が被検眼１００に対して所定の位置（例えば、角膜１０２の前面からわずかに光源１２側にずれた位置）となる。なお、ゼロ点の位置は、網膜１０３に対して光源１２から離れる方向にわずかにずれた位置に調整してもよい。
【００２７】
次に、演算装置６４は、光源１２から照射される光の周波数を変化させながら、受光素子２６で検出される信号を取り込む（Ｓ１２）。既に説明したように、受光素子２６で受光する干渉光には、被検眼１００の深さ方向の各部位から反射された光が含まれている。すなわち、受光素子２６から出力される干渉信号は、図４に示すように、信号強度が時間によって変化する信号となり、この信号には被検眼１００の各部（角膜１０２の前面及び後面、水晶体１０４の前面及び後面、網膜１０６の表面）及び第１、第２反射面７４ａ，７４ｂから反射された各反射光と参照光とを合成した干渉波による信号が含まれている。そこで、演算装置６４は、受光素子２６から入力する信号をフーリエ変換することで、その信号から被検眼１００の各部（角膜１０２の前面及び後面、水晶体１０４の前面及び後面、網膜１０６の表面）及び第１、第２反射面７４ａ，７４ｂから反射された反射光による干渉信号成分を分離する（図４の下段のグラフ参照）。これにより、演算装置６４は、被検眼１００の各部の位置及び第１、第２反射面７４ａ，７４ｂの位置を特定することができる。
【００２８】
次に、演算装置６４は、ステップＳ１２で得られた干渉信号をフーリエ変換することで、被検眼１００の各部（角膜１０２の前面及び後面、水晶体１０４の前面及び後面、網膜１０６の表面）及び第１、第２反射面７４ａ，７４ｂの位置を特定する（Ｓ１４）。ここで、本実施例では、光学部材７４を配置する位置をゼロ点に対して調整することで、図４下段に示すように、被検眼１００の各部の位置を表すピークと、第１、第２反射面７４ａ，７４ｂの位置を表すピークとが重ならないようになっている。したがって、フーリエ変換された信号成分から、被検眼１００の各部の位置と、第１、第２反射面７４ａ，７４ｂの位置を容易に特定することができる。
【００２９】
次に、演算装置６４は、ステップＳ１４で得られた被検眼１００の各部の位置と、第１、第２反射面７４ａ，７４ｂの位置から、被検眼１００の眼軸長（角膜表面から網膜までの長さ）を算出する（Ｓ１６）。具体的には、演算装置６４は、まず、ステップＳ１４で得られた被検眼１００の網膜の位置から角膜表面の位置を減算することで、干渉光に基づく眼軸長を算出する。次いで、演算装置６４は、ステップＳ１４で得られた第２反射面７４ｂの位置から第１反射面７４ａの位置を減算することで、干渉光に基づく第１反射面７４ａから第２反射面７４ｂまでの長さを算出する。ここで、第１反射面７４ａから第２反射面７４ｂまでの長さは、光学部材７４の長さに相当し、光学部材７４の長さは既知である。したがって、干渉光から算出された眼軸長を、光学部材７４の長さ（実値）と、干渉光から得られた光学部材７４の長さ（測定値）により補正する。具体的には、次の式、すなわち、眼軸長（補正後）＝干渉光から得られた眼軸長×（光学部材７４の長さ（実値）／干渉光から得られた光学部材７４の長さ（測定値））、により算出する。
【００３０】
演算装置６４は、ステップＳ１６で眼軸長を算出すると、その算出した眼軸長をモニタモニタ６２に表示する（Ｓ１８）。これによって、演算装置６４の処理が終了する。
【００３１】
上述の説明から明らかように、本実施例に係る眼科装置では、測定光学系により得られる測定用干渉光と、較正光学系により得られる較正用干渉光とを用いて、被検眼１００の眼軸長を算出する。このため、光源１２の発熱や経年変化等によって光源１２から出力される光が経時的に変化しても、それらの影響を抑制でき、被検眼１００の眼軸長を正確に算出することができる。
【００３２】
また、較正光学系には第１反射面７４ａと第２反射面７４ｂが設けられ、第１反射面７４ａと第２反射面７４ｂの光路長の差を利用して眼軸長を補正する。したがって、光学部材７４と他の部材（例えば、光源１２、干渉計２０）との位置関係が経時的に変化し、光源１２から光学部材７４の各反射面７４ａ，７４ｂまでの光路長が変化しても、それらが眼軸長の測定には影響しない。すなわち、光源１２から第１反射面７４ａまでの光路長の変化量と、光源１２から第２反射面７４ｂまでの光路長の変化量が同一となるため、これらが算出される眼軸長の長さに影響しない。このため、被検眼１００の眼軸長を適切に測定することができる。
【００３３】
以上、本発明の実施例について詳細に説明したが、これは例示に過ぎず、特許請求の範囲を限定するものではない。特許請求の範囲に記載の技術には、以上に例示した具体例を様々に変形、変更したものが含まれる。
【００３４】
例えば、上述した実施例では、較正光学系を光学部材７４によって構成したが、このような形態に限られない。例えば、図６に示すような光学系の構成を採ることができる。図６に示す光学系では、光源１２からの光をカプラ７０によって参照光（参照面に照射する光）と物体光（被検眼に照射する光）に分岐し、分岐した物体光をさらにカプラ７２によって被検眼に照射する光と、較正用の光に分岐する。較正用に分岐された光は、カプラ７４によって光ファイバ７６と、光ファイバ７８に分岐される。光ファイバ７６，７８に入射した光は、光ファイバ７６，７８の端面で反射し、カプラ７４，７２，８０を介して検出器（受光素子）２６で検出される。光ファイバ７６の光路長は、光ファイバ７８の光路長と相違するため、検出器２６では、光ファイバ７６の端面で反射された光による較正用干渉光と、光ファイバ７８の端面で反射された光による較正用干渉光が検出される。したがって、上述した実施例と同様の作用効果を得ることができる。
【００３５】
あるいは、図７に示すような光学系の構成を採ることもできる。図７に示す光学系では、光源１２からの光をカプラ８２によって参照光（参照面に照射する光）と物体光（被検眼に照射する光）に分岐し、分岐した物体光をさらにカプラ８４によって被検眼に照射する光と、較正用の光に分岐する。較正用に分岐された光は、カプラ８６によって光ファイバ８８と、光ファイバ９０に分岐される。光ファイバ８８，９０に入射した光は、カプラ９２，９４，９６を介して検出器（受光素子）２６で検出される。光ファイバ８８，９０の光路長を相違させ、光ファイバ８８，９０によってカプラ９４まで光を案内することで、検出器２６では、光ファイバ８８に案内された光による較正用干渉光と、光ファイバ９０に案内された光による較正用干渉光が検出される。したがって、図７に示す光学系を用いても、上述した実施例と同様の作用効果を得ることができる。
【００３６】
また、上述した実施例では、波長掃引型の光源を用いたフーリエドメイン方式（いわゆる、ＳＳ−ＯＣＴ方式）の眼科装置であったが、白色光源と分光器によって空間的に発生する波をフーリエ解析するフーリエドメイン方式（いわゆる、ＳＤ−ＯＣＴ方式）の眼科装置とすることもできる。さらには、上述した実施例では、被検眼に照射される光の光軸上に較正用光学系を設けたが、参照面に照射される光の光軸上に較正用光学系を設けてもよい。さらには、較正光学系に２つの光路部を形成し、両者の光路長を利用する場合は、測定光学系の任意の位置に設置することができる。例えば、図１のホットミラー４８と被検眼１００の間に較正光学系を設置してもよい。
【００３７】
また、上述した実施例では、２つの反射面７４ａ，７４ｂからの反射光を利用する較正光学系であったが、１つの反射面からの反射光を利用する較正光学系としてもよい。すなわち、１つの反射面を予め設定された距離だけ移動させて２つの反射光を生成し、これら２つの反射光を利用して、測定用干渉光から得られる被検眼の各部の位置を補正してもよい。
【００３８】
本明細書または図面に説明した技術要素は、単独であるいは各種の組み合わせによって技術的有用性を発揮するものであり、出願時請求項記載の組み合わせに限定されるものではない。また、本明細書または図面に例示した技術は複数目的を同時に達成するものであり、そのうちの一つの目的を達成すること自体で技術的有用性を持つものである。
【符号の説明】
【００３９】
１０・・測定部
１２・・光源
１４・・干渉光学系
２０・・干渉計
２２・・参照ミラー
２４・・ビームスプリッタ
２６・・受光素子
４８・・ホットミラー
５０・・観察光学系
５４・・第１駆動装置
６２・・モニタ
６４・・演算装置
【図１】
0005946654.tif 000002
【図２】
0005946654.tif 000003
【図３】
0005946654.tif 000004
【図４】
0005946654.tif 000005
【図５】
0005946654.tif 000006
【図６】
0005946654.tif 000007
【図７】
0005946654.tif 000008